【手続補正書】
【提出日】平成18年5月30日(2006.5.30)
【手続補正１】
【補正対象書類名】特許請求の範囲
【補正対象項目名】全文
【補正方法】変更
【補正の内容】
【特許請求の範囲】
【請求項１】
機械上で継ぎ合せ可能な基礎布であって、前記基礎布は機械方向（ＭＤ）の糸の領域と機械に直交する方向（ＣＤ）の糸の領域を有しており、前記ＭＤ糸の領域の前記糸は前記基礎布が長さ、幅、二つの縦の縁、二つの横の縁、第一面と第二面を有する長方形の形状を形成するべく前記ＣＤ糸の領域の前記糸に結合されており、前記ＭＤ糸は前記基礎布の前記長さ方向に伸びていて且つそれの前記二つの横の縁の各々に沿って継ぎ合せループを形成している、基礎布と；
前記二つの横の縁を互いに連結している多数のリングであって、前記リングの各々は前記二つの横の縁の一方で一対の前記継ぎ合せループの間にあってそこを通って案内される第一軸棒により前記継ぎ合せループに連結されており、又前記リングの各々は前記二つの横の縁の他の一方で一対の前記継ぎ合せループの間にあってそこを通って案内される第二軸棒により前記継ぎ合せループに連結されており、前記多数のリングと前記第一と第二軸棒はそれによって前記基礎布をエンドレスループの形に連結している、多数のリングと；
を有することを特徴とする機械上で継ぎ合せ可能な工業用布。
【請求項２】
更に前記基礎布の前記第一と第二面の一方に取付けられた少なくとも一層のステープルファイバー材料より成っている請求項１に記載の機械上で継ぎ合せ可能な工業用布。
【請求項３】
機械上で継ぎ合せ可能な基礎布であって、前記基礎布は機械方向（ＭＤ）の糸の領域と機械に直交する方向（ＣＤ）の糸の領域を有しており、前記ＭＤ糸の領域の前記糸は前記基礎布が長さ、幅、二つの縦の縁、二つの横の縁、第一面と第二面を有する長方形の形状を形成するべく前記ＣＤ糸の領域の前記糸に結合されており、前記ＭＤ糸は前記基礎布の前記長さ方向に伸びていて且つそれの前記二つの横の縁の各々に沿って継ぎ合せループを形成している、基礎布と；
多数のリングであって、前記第一リングの各々は前記二つの横の縁の一方で一対の前記継ぎ合せループの間にあってそこを通って案内される第一軸棒により前記継ぎ合せループに連結されている、多数のリングと；
多数の第二リングであって、前記第二リングの各々は前記二つの横の縁の他の一方で一対の前記継ぎ合せループの間にあってそこを通って案内される第二軸棒により前記継ぎ合せループに連結されており、それによって前記工業用布は前記第一リングと前記第二リングを絡み合わせることにより又前記絡み合わされた第一と第二リングにより規定された通路を通って第三軸棒を案内することによりエンドレスループの形で連結される、多数の第二リングと；
を有することを特徴とする機械上で継ぎ合せ可能な工業用布。
【請求項４】
更に前記基礎布の前記第一と第二面の一方に取付けられた少なくとも一層のステープルファイバー材料より成っている請求項３に記載の機械上で継ぎ合せ可能な工業用布。
【請求項５】
機械上で継ぎ合せ可能な基礎布であって、前記基礎布は機械方向（ＭＤ）の糸の領域と機械に直交する方向（ＣＤ）の糸の領域を有しており、前記ＭＤ糸の領域の前記糸は前記基礎布が長さ、幅、二つの縦の縁、二つの横の縁、第一面と第二面を有する長方形の形状を形成するべく前記ＣＤ糸の領域の前記糸に結合されており、前記ＭＤ糸は前記基礎布の前記長さ方向に伸びていて且つそれの前記二つの横の縁の各々に沿って継ぎ合せループを形成している、基礎布と；
多数の個々の第一リングであって、前記第一リングの各々は一対の前記継ぎ合せループの間にあって前記二つの横の縁の一方で前記ＣＤ糸の少なくとも１本を囲んでいる、多数の個々の第一リングと；
多数の個々の第二リングであって、前記第二リングの各々は一対の前記継ぎ合せループの間にあって前記二つの横の縁の他の一方で前記ＣＤ糸の少なくとも１本を囲んでいて、それによって前記工業用布は前記第一リングと前記第二リングを絡み合わせることにより又前記絡み合わされた個々の第一と第二リングと前記継ぎ合せループにより規定された通路を通って軸棒を案内することによりエンドレスループの形で連結される、多数の個々の第二リングと；
を有する機械上で継ぎ合せ可能な工業用布。
【請求項６】
更に前記基礎布の前記第一と第二面の一方に取付けられた少なくとも一層のステープルファイバー材料より成っている請求項５に記載の機械上で継ぎ合せ可能な工業用布。
【請求項７】
機械上で継ぎ合せ可能な基礎布の上に多数のリングを据付ける方法において、
前記基礎布は機械方向（ＭＤ）の糸の領域と機械に直交する方向（ＣＤ）の糸の領域を有しており、前記ＭＤ糸の領域の前記糸は前記基礎布が長さ、幅、二つの縦の縁、二つの横の縁、第一面と第二面を有する長方形の形状を形成するべく前記ＣＤ糸の領域の前記糸に結合されており、前記ＭＤ糸は前記基礎布の前記長さ方向に伸びており、
前記横の縁の一方の近傍にマガジンを設置すること、前記マガジンは挿入されるべき多数のリングを収容していて且つ前記マガジンと前記リングの内部を通過する縁の紐を有していること及び、
各ＭＤ糸の対が織られる時に前記横の縁に沿って夫々のリングを挿入すること
より成っている上記方法。
【請求項８】
機械上で継ぎ合せ可能な基礎布の上に多数のリングを据付ける方法において、
前記基礎布は機械方向（ＭＤ）の糸の領域と機械に直交する方向（ＣＤ）の糸の領域を有しており、前記ＭＤ糸の領域の前記糸は前記基礎布が長さ、幅、二つの縦の縁、二つの横の縁、第一面と第二面を有する長方形の形状を形成するべく前記ＣＤ糸の領域の前記糸に結合されており、前記ＭＤ糸は前記基礎布の前記長さ方向に伸びていて且つそれの前記二つの横の縁の各々に沿って継ぎ合せループを形成しており、前記基礎布が平織であり、
継ぎ合せ台の上に基礎布を載せること；
前記横の縁の一方の近傍にマガジンを設置すること、前記マガジンは挿入されるべき多数のリングを収容していて且つそこを通過するループ形成ピンを有していること及び、
各ＭＤ糸がループ形成ピンの周りに曲げられた時に前記継ぎ合せループの夫々の対の間に夫々のリングを挿入すること
の諸段階より成っている上記方法。
【請求項９】
前記基礎布は、前記の２つの面の少なくともひとつの上に、ポリウレタン、シリコーン、融解した重合体粒子及び焼結した金属粒子からなる群から選択されたコーティングで、コートされていることを特徴とする請求項１、３又は５に記載の機械上で継ぎ合せ可能な工業用布。
【請求項１０】
前記基礎布は、ポリウレタン及びシリコーンからなる群から選択された重合体樹脂で含浸されることを特徴とする請求項１、３又は５に記載の機械上で継ぎ合せ可能な工業用布。
【請求項１１】
夫々のリングは、円形、卵形、斜め形、長楕円形、四面体形及びＤ字形からなる群から選択された形状を有し、
該夫々のリングは、円形、卵形、正方形及び長方形からなる群から選択された断面形状を有することを特徴とする請求項１、３又は５に記載の機械上で継ぎ合せ可能な工業用布。
【請求項１２】
夫々のリングは、約０．１５ｍｍから１．０ｍｍまでの範囲の直径を有することを特徴とする請求項１、３又は５に記載の機械上で継ぎ合せ可能な工業用布。
【請求項１３】
夫々のリングは、約０．７０ｍｍから３．０ｍｍまでの範囲の長さを有することを特徴とする請求項１、３又は５に記載の機械上で継ぎ合せ可能な工業用布。
【請求項１４】
夫々のリングは、約０．７０ｍｍから１２．０ｍｍまでの範囲の高さを有することを特徴とする請求項１、３又は５に記載の機械上で継ぎ合せ可能な工業用布。
【請求項１５】
夫々のリングは、布それ自身の厚さに等しい最大高さを有することを特徴とする請求項１、３又は５に記載の機械上で継ぎ合せ可能な工業用布。
【請求項１６】
夫々のリングは、金属か、ポリアミド、ポリエステル、ポリエーテルケトン、ポリプロピレン、ポリアラミド、ポリオレフィン、ポリウレタン、ポリケトン及びポリエチレンテレフタレート樹脂からなる群から選択された重合体樹脂材料か、から構成されることを特徴とする請求項１、３又は５に記載の機械上で継ぎ合せ可能な工業用布。
【請求項１７】
夫々のリングは、単繊維、撚られた／捻られた繊維及び組まれた繊維からなる群から選択されたタイプであることを特徴とする請求項１、３又は５に記載の機械上で継ぎ合せ可能な工業用布。
【請求項１８】
夫々のリングは、重合体樹脂材料でコートされていることを特徴とする請求項１、３又は５に記載の機械上で継ぎ合せ可能な工業用布。